(57)【要約】【課題】壁紙間の隙間を隠蔽し、壁紙の剥離や汚れを抑制することができ、陰影を創出することにより意匠性を向上させることが可能であり、且つ、下地材の施工の際に割り付けが不要であり、目地の追加や位置変更が容易である底目地形成部材、壁面構造、及び、底目地形成部材の施工方法を提供する。【解決手段】壁面に底目地を形成する底目地形成部材であって、長手方向に形成された溝部と、該溝部の側面両側に長手方向に沿って設けられた支持部とを有し、上記溝部は、底部が該溝部の側面両側に設けられた支持部のうち片側の支持部の内部に向かって形成されてなる底目地形成部材。【選択図】図１
2012177283.tif 000002
【特許請求の範囲】
【請求項１】
壁面に底目地を形成する底目地形成部材であって、
長手方向に形成された溝部と、該溝部の側面両側に長手方向に沿って設けられた支持部とを有し、
前記溝部は、底部が該溝部の側面両側に設けられた支持部のうち片側の支持部の内部に向かって形成されてなる
ことを特徴とする底目地形成部材。
【請求項２】
裏面が、平面状に形成された請求項１に記載の底目地形成部材。
【請求項３】
前記溝部は、対向する２つの平面からなる側壁により形成された請求項１又は２に記載の底目地形成部材。
【請求項４】
前記溝部は、対向する２つの曲面からなる側壁により形成された請求項１又は２に記載の底目地形成部材。
【請求項５】
溝部を挟んだ両側の支持部が、溝部を境に切離し可能である請求項１〜４の何れか一項に記載の底目地形成部材。
【請求項６】
下地材上に施工された請求項１〜５の何れか一項に記載の底目地形成部材と、前記底目地形成部材上に施工された壁紙とを備え、
前記壁紙の継目が、底目地形成部材の溝部内部に収容されてなることを特徴とする壁面構造。
【請求項７】
請求項１〜５の何れか一項に記載の底目地形成部材を壁面に施工する底目地形成部材の施工方法であって、
前記底目地形成部材を下地材上に施工する工程と、
前記底目地形成部材の支持部と、下地材との境界を、パテ剤で整形する工程と、
前記底目地形成部材が施工された下地材上に、壁紙を施工する工程とを有する
ことを特徴とする底目地形成部材の施工方法。
【発明の詳細な説明】
【技術分野】
【０００１】
本発明は、底目地形成部材、壁面構造、及び、底目地形成部材の施工方法に関する。
【背景技術】
【０００２】
従来、住宅やマンション等の建築現場において、壁面に石膏ボード等の下地材が施工され、さらに、下地材上に壁紙が施工されている。一般に、壁紙は一定の幅に裁断された状態で施工される。このため、壁紙は、幅方向に複数枚並べて、下地材上に施工される。施工の際、壁紙間の継目を隠蔽するために、壁紙同士を突き付けて隙間なく施工するのが一般的である。
【０００３】
しかし、壁紙同士を突き付けて隙間なく施工した場合であっても、経時的に壁紙が収縮し、壁紙間に隙間を生じて下地材が露出してしまうことがある。
また、壁紙間の継目から、湿気等に起因する水分が浸透することにより、壁紙が下地材から剥離し、壁面の美観を損うこととなる。
さらに、壁紙間の継目から汚れが浸透すると、壁面の拭き取りを行っても汚れを除去することが困難であり、壁面の美観を損うこととなる。
【０００４】
このような問題を解決するために、壁面に目地を形成して壁紙を施工する部材として、例えば、目地部材が提案されている（特許文献１参照）。
【先行技術文献】
【特許文献】
【０００５】
【特許文献１】特開２００６−９４４０号公報
【発明の概要】
【発明が解決しようとする課題】
【０００６】
従来の目地部材は、予め下地材間に隙間を空けて下地材を施工する、いわゆる目地取り施工により下地材を施工し、下地材上に壁紙を施工した後に、下地材間の隙間に目地部材の溝部を嵌合させて施工される。
【０００７】
しかし、目地取り施工を行う場合、目地部材の溝部を下地材間へ適切に嵌合可能とするために、下地材を施工する段階で予め下地材の施工位置を決定する、いわゆる割り付けが必要である。割り付けにおいて、下地材を施工する位置の調整は大変煩雑である。
また、一旦割り付けを行った後で、下地材の施工位置を変更することは、非常に困難である。
【０００８】
本発明は、上記の事情に鑑みてなされたものであり、壁紙間の隙間を隠蔽し、壁紙の剥離や汚れを抑制することができるとともに、壁面に陰影を創出することにより壁面の意匠性を向上させることが可能であり、且つ、下地材の施工の際に割り付けが不要であり、目地の追加や位置変更が容易である底目地形成部材、壁面構造、及び、底目地形成部材の施工方法を提供することを課題とする。
【課題を解決するための手段】
【０００９】
本発明に係る底目地形成部材は、上記の事情に鑑みてなされたものであって、壁面に底目地を形成する底目地形成部材であって、長手方向に形成された溝部と、該溝部の側面両側に長手方向に沿って設けられた支持部とを有し、上記溝部は、その底部が該溝部の側面両側に設けられた支持部のうち片側の支持部の内部に向かって形成されてなることを特徴とする。
【００１０】
かかる構成によれば、壁紙間の隙間を隠蔽し、壁紙の剥離や汚れを抑制することができ、壁面に陰影を創出することにより意匠性を向上させることが可能である。また、下地材の施工の際に割り付けが不要であり、目地の追加や位置変更が容易である底目地形成部材を得ることができる。
【００１１】
また、本発明に係る底目地形成部材は、裏面が、平面状に形成されていることが好ましい。
【００１２】
かかる構成によれば、下地材間の継目上に容易に底目地形成部材を施工することができ、且つ、壁面上の、下地材の継目が存在しない平面上であっても施工することができ、壁面上の所望の位置に底目地を形成することができる。
【００１３】
また、本発明に係る底目地形成部材は、上記溝部が、対向する２つの平面からなる側壁により形成されていることが好ましい。
【００１４】
かかる構成によれば、底目地形成部材の溝部の形成が容易となる。
【００１５】
また、本発明に係る底目地形成部材は、上記溝部が、対向する２つの曲面からなる側壁により形成されていることが好ましい。
【００１６】
かかる構成によれば、溝部の底部が隠蔽され、壁面に濃い陰影が創出されてより深い奥行きを有するかのような風合いを表現することができる。
【００１７】
また、本発明に係る底目地形成部材は、溝部を挟んだ両側の支持部が、溝部を境に切離し可能であることが好ましい。
【００１８】
かかる構成によれば、上記底目地形成部材上に、厚さが厚い壁紙を施工することが可能となる。
【００１９】
また、本発明は、下地材上に施工された上記底目地形成部材と、上記底目地形成部材上に施工された壁紙とを備え、上記壁紙の継目が、底目地形成部材の溝部内部に収容されてなる壁面構造でもある。
【００２０】
かかる構成によれば、壁紙間の隙間を隠蔽し、壁紙の剥離や汚れを抑制することができ、陰影を創出することにより意匠性を向上させることが可能であり、且つ、下地材の施工の際に割り付けが不要であり、目地の追加や位置変更が容易である壁面構造とすることができる。
【００２１】
また、本発明は、上記底目地形成部材を壁面に施工する底目地形成部材の施工方法であって、上記底目地形成部材を下地材上に施工する工程と、上記底目地形成部材の支持部と、下地材との境界を、パテ剤で整形する工程と、上記底目地形成部材が施工された下地材上に、壁紙を施工する工程とを有する底目地形成部材の施工方法でもある。
【００２２】
かかる構成によれば、壁紙間の隙間を隠蔽し、壁紙の剥離や汚れを抑制することができ、陰影を創出することにより意匠性を向上させることが可能であり、且つ、下地材の施工の際に割り付けが不要であり、目地の追加や位置変更が容易である底目地形成部材を壁面上に容易に施工することができる。
【発明の効果】
【００２３】
本発明によれば、壁紙間の隙間を隠蔽し、壁紙の剥離や汚れを抑制することができ、陰影を創出することにより意匠性を向上させることが可能であり、且つ、下地材の施工の際に割り付けが不要であり、目地の追加や位置変更が容易である底目地形成部材、壁面構造、及び、底目地形成部材の施工方法を提供することができる。
【図面の簡単な説明】
【００２４】
【図１】（ａ）は、本発明の壁面構造の一実施形態を示す縦断面図である。（ｂ）は、壁面の一つの施工方法を示す縦断面図である。
【図２】（ａ）は、本発明の壁面構造の他の実施形態を示す縦断面図である。（ｂ）は、壁面の他の施工方法を示す縦断面図である。（ｃ）は、従来の目地部材を施工した壁面構造を示す縦断面図である。
【図３】本発明の底目地形成部材を、床面に対して平行方向に施工した状態の断面図である。
【図４】本発明の底目地形成部材の斜視図である。
【図５】本発明の底目地形成部材の縦断面図である。
【図６】（ａ）、及び、（ｂ）は、本発明の底目地形成部材の縦断面図における、溝部の拡大図である。
【図７】（ａ）は、下地材上に施工した本発明の底目地形成部材の上に、厚い壁紙を施工した場合の断面図であり、（ｂ）及び（ｃ）は、本発明の底目地形成部材を、溝部底部の最下端を境に切離して施工した場合の縦断面拡大図である。
【図８】本発明の底目地形成部材の一部分を示す縦断面拡大図である。
【図９】本発明の底目地形成部材の一実施形態を表す縦断面拡大図である。
【図１０】（ａ）は、本発明の底目地形成部材の支持部の外端部と、下地材とにより形成される段差部分にパテ剤を充填した状態の縦断面拡大図であり、（ｂ）は、パテ剤表面を平滑にならした状態の縦断面拡大図である。
【図１１】本発明の底目地形成部材の他の実施形態を表す縦断面拡大図である。
【発明を実施するための形態】
【００２５】
以下、本発明の好ましい実施形態について、図面を参照しつつ説明する。なお、各図において、各部材又は各部の長さ、厚み、及び大きさは、実際のものとは異なっていることに留意されたい。
【００２６】
［壁面構造］
図１（ａ）に、本発明の壁面構造の一実施形態を示す。図１（ａ）は、本実施形態の壁面構造の縦断面図である。図１（ａ）に示すように、本実施形態の壁面構造は、底目地形成部材１、壁紙４、下地材５、及び、パテ剤８から構成される。
本実施形態の底目地形成部材１は、溝部２、及び、主に溝部２の両側に設けられた２つの側片３１、３２より構成される支持部３より構成されている。さらに、側片３１、３２は、両端部３１ａ、３２ａと、傾斜部３１ｂ、３２ｂと、互いに同一平面をなす底面３１ｃ、３２ｃを有する。また、上記溝部２は、底部２ｃが上端部２ａから側片３１の内部３１ｄに向かって傾斜するように形成されている。
本実施形態において、底目地形成部材１は下地材５の表面５ａ上に施工されている。また、支持部３の傾斜部３１ｂ及び３２ｂと、下地材５の表面５ａとの段差は、パテ剤８により整形され、段差が解消されている。さらに、下地材５、底目地形成部材１、パテ剤８の上に、壁紙４が施工され、壁紙４の継目は、底目地形成部材１の溝部２に収容されている。
図１（ｂ）は、従来の壁面構造の縦断面図である。この壁面構造では、下地材５の平面上に複数枚の壁紙４を施工する際、壁紙４の端部を突き付けて施工することで、壁面上に壁紙４の継目Ｔが形成される。この場合、壁紙４は経時的に収縮し、継目Ｔの間隔が広がって壁紙間に隙間を生じ、壁面の意匠性を損ねてしまうことがある。
さらに、壁紙間の継目Ｔから汚れが浸透して継目Ｔの断面を汚染することがある。この場合、継目Ｔの断面に付着した汚れは、両側の壁紙４に阻まれて拭き取り困難となる。
本実施形態の壁面構造の場合、壁紙４は経時的に収縮しても、図１（ａ）に示すように、壁紙４の継目が溝部２内部に収容されることで隠蔽されているので、外見上の変化がなく、意匠性の低下を抑制して壁面の美観を保つことができる。
また、溝部２の開口を狭く形成することにより、遮光性を高めて、陰影Ｓを鮮明に形成することができる。この結果、本発明の陰影創出による意匠性向上効果をより顕著に発揮することができる。
さらに、溝部２の開口を狭く形成することにより、壁紙４間の継目から湿気等に起因する水分の浸透を防ぐことができ、これに起因する壁紙４の下地材５からの剥離を防止することができる。
さらに、壁紙４間の継目が溝部２に収容されているので、壁紙４の端部から汚れが浸透しても、陰影Ｓによって隠蔽され、美観を保つことができる。
【００２７】
図２（ａ）は、本発明の壁面構造の他の実施形態を示す縦断面図である。図２（ａ）において、２枚の下地材５１、５２は突き付けて施工されており、下地材間の隙間に継目Ｕが形成されている。底目地形成部材１は、継目Ｕの上に施工されている。また、支持部３の傾斜部３１ｂ，３２ｂと、下地材表面５１ｂ，５２ｂとの段差は、パテ剤８により整形され解消されている。さらに、下地材５、底目地形成部材１、及び、パテ剤８の上に、壁紙４が施工され、壁紙４の継目は、底目地形成部材１の溝部２に収容され、陰影Ｓが形成されている。
図２（ｂ）は、従来の壁面構造の一例の縦断面図である。一般的な施工方法の一つとして、複数枚の下地材５をモルタル等の壁材９上に並設し、各下地材５１，５２上、及び、下地材５１，５２の隙間Ｖに露出する壁材９上に壁紙４を施工する方法がある。この方法によれば、下地材５１，５２間の隙間Ｖに壁紙４の継目Ｔが形成される。
また、一般的な他の施工方法として、従来の目地部材７を用いた施工方法を図２（ｃ）に示す。図示するように、従来の目地部材７は、長手方向に凹部７２が形成され、更に、前記凹部７２の両側の側面上端に長手方向に沿って支持部７１、７３が形成されている。このため、施工状態で凹部７２が下地面側に突出して、下地材５１、５２間の隙間Ｖに嵌合するように構成されている。
上記図２（ｂ）、図２（ｃ）に示した壁紙４の一般的な施工方法によると、予め下地材５１，５２間に隙間を空けて施工する、いわゆる目地取り施工により施工することが必要となる。目地取り施工においては、施工前に下地材５１，５２の施工位置を決定する、いわゆる割り付けを行うことが必要となるので、下地材５１，５２の位置の調整が大変煩雑となる。
また、一旦割り付けを行った後で、下地材５１，５２の施工位置を変更することは、非常に困難であるので、目地位置の変更が困難となる。
これに対して、本発明の底目地形成部材１は、図２（ａ）に示すように、下地材５１，５２間の継目Ｕ上に施工し、下地材５１，５２、底目地形成部材１、及び、パテ剤８の上に、壁紙４を施工して、壁紙４の継目を、底目地形成部材１の溝部２の底部２ｃに収容した壁面構造とすることにより、下地材５１，５２、及び、目地部材１の施工位置を容易に変更することができる。これは、従来の目地部材のように下地材間の隙間に目地部材を嵌合させて施工する必要がないためであり、このことにより下地材５１，５２の施工の際に割り付けを不要とすることができ、下地材５１，５２、及び、目地部材１の施工位置の変更が容易となる。
【００２８】
上記壁紙４は、可撓性があって下地材上に施工可能であれば特に限定されず、紙製、繊維製、プラスチック製のほか、これらを組み合わせてなるもの、さらにはこれらと金属箔等を組み合わせた多層構造のものを含む従来公知のものを用いることができる。
なお、壁紙４の施工とは、主に建築物の壁面に仕上げ材として壁紙４を接着剤により張り付けることを言い、予め接着剤・粘着剤等を壁紙に塗布しておいて、壁面に張り付けることを含む概念である。
【００２９】
底目地形成部材１を施工する方向は、床面に対して垂直方向等、特定の方向に限定されない。例えば、図３に示すように、床面６に対して平行方向であってもよい。このとき、底目地形成部材は、図３に示すように、溝部２の底部２ｃが上方側に配置された支持部３の側片３１に向かって形成されていることが好ましい。
溝部の底部２ｃが、上方に向かって形成されるように施工することで、壁面に多量に水等がかかり、溝部２内に水等が浸入した場合であっても、自然に排水することが可能となる。
【００３０】
［底目地形成部材］
以下、底目地形成部材１について説明する。図４に示すように、本実施形態の底目地形成部材１は、溝部２、及び、支持部３から構成される。
本実施形態において、図４、及び、図５に示すように、溝部２は、その開口部２ａが底目地形成部材１の短手方向の略中央に位置し、長手方向に沿って連続して形成されている。当該溝部２の側面両側には、底目地形成部材１の短手方向に向かって突出し、長手方向に沿って連続して支持部３が形成されている。支持部３は、主に溝部２の両側に設けられた２つの側片３１、３２より構成されており、側片３１、３２は、両端部３１ａ、３２ａと、溝部２から両端部３１ａ、３２ａに向かって厚みが薄くなる傾斜部３１ｂ、３２ｂと、互いに同一平面をなす底面３１ｃ、３２ｃを有する。また、上記溝部２は、底部２ｃが上端部２ａから側片３１の内部３１ｄに向かって傾斜するように形成されている。
【００３１】
［溝部］
溝部２は、本発明の底目地形成部材１の表面側に長手方向に沿って形成され、施工状態で壁面に目地を形成して陰影を創出し、壁面に奥行きが有るかのような風合いを表現することにより意匠性を向上させる部位である。溝部２には、壁紙の端部をコテやへらなどの施工用具にて差し込み接着することで、内部に固定することができる。コテやへらなどの施工用具は、金属や樹脂製の薄くて強度のあるものならば、何でも良い。
【００３２】
本実施形態において、溝部２は、図５に示されるように、その開口部２ａが底目地形成部材１の短手方向の略中央に形成されており、底部２ｃが、開口部２ａから溝部２の側面両側に設けられた支持部３のうち片側の側片３１の内部３１ｄに向かって傾斜するように形成されている。
【００３３】
このように、本発明の底目地形成部材１は、溝部２が側片３１の内部３１ｄに向かって傾斜するように形成されているので、側片３１の厚みが薄くても溝部２の深さを深くすることができる。このため、溝部２の深さに対して、底目地形成部材１の厚みを薄く設定することが可能となる。このため、特許文献１記載の従来の目地部材のように、目地部材の厚みを確保するために、予め下地材間に隙間を空けて下地材を施工する、いわゆる目地取り施工を行う必要がない。目地取り施工が不要となると、下地材を施工する段階で予め下地材の施工位置を決定する、いわゆる割り付けを行う必要がないので、下地材の施工が容易になる。
また、本発明の底目地形成部材１は、その裏面３１ｃ、３２ｃに突出しないので、所望の位置に施工することができ、壁紙間の継目上に施工することにより、当該隙間の隠蔽や、壁紙の剥離や汚れの抑制が可能となる。
さらに、本発明の底目地形成部材１は、所望の位置に施工することができるので、下地材の施工位置も容易に変更することができる上、目地の追加や位置変更が容易であるので、壁面の所望の位置、所望の数にて陰影を創出することにより意匠性を向上させることが可能である。
【００３４】
図６（ａ）、（ｂ）は、溝部２の構成を示す拡大断面図である。溝部２は、対向する２つの平面からなる側壁２ｄ１、２ｄ２により形成されている。このため、溝部２は、射出成形や、成形後の切削等の方法により、容易に形成することができる。
【００３５】
図６（ａ）を用いて、溝部２の深さＬ２１について説明する。図に示すように、深さＬ２１は、底目地形成部材１の縦断面図において、側壁２ｄ１、２ｄ２の上端部２ａ１、２ａ２の中間点２ｂと、溝部２の底部端部２ｃ１、２ｃ２の中間点２ｅを結ぶ直線の長さである。深さＬ２１は、１．０〜６．０ｍｍであることが好ましく、３．０〜５．０ｍｍであることがより好ましい。
溝部２の深さＬ２１が余りに深いと、成形が困難となり、また、底目地形成部材１の強度を損ねるおそれがある。また、強度を保つために底目地形成部材１の厚みを厚くすると、壁面上に施工した場合に目立って意匠性を損ねるおそれがある。一方、溝部２の深さＬ２１が余りに浅いと、陰影を十分に創出することができず、意匠性向上効果を十分に発揮できないおそれがある。
【００３６】
次に、図６（ｂ）を用いて、溝部２の幅Ｌ２２について説明する。図に示すように、幅Ｌ２２は、底目地形成部材１の縦断面図において、側壁２ｄ１、２ｄ２の上端部２ａ１、２ａ２を結ぶ直線の長さである。幅Ｌ２２は、１．０〜１０．０ｍｍであることが好ましく、２．０〜５．０ｍｍであることがより好ましい。
溝部２の幅Ｌ２２が余りに大きいと、溝部の底部２ｃが露出して陰影が創出され難く、本発明における陰影創出による意匠性向上効果を十分に発揮できないおそれがある。一方、溝部２の幅Ｌ２２が余りに小さいと、目地が目立たず、本発明における目地形成による意匠性向上効果を十分に発揮できないおそれがある。
【００３７】
また、本発明の底目地形成部材１は、溝部２を挟んだ両側の側片３１と３２とを、溝部２で切り離し可能とすることができる。特に、図６（ｂ）において示されるように、溝部２の底部２ｃの最下端２ｃ１の位置は、側片３１の裏面３１ｃとの厚みが最も薄い箇所であるので、この位置の強度を調整することにより、底部２ｃの最下端２ｃ1を境に側片３１と３２とを切離し可能とすることができる。この強度は、最下端２ｃ１と裏面３１ｃとの距離Ｌ２３を所定の範囲に設定することにより調整できる。距離Ｌ２３の好適な範囲は、底目地形成部材１の材質によって左右されるが、材質が樹脂の場合は、０．１〜１．０ｍｍであることが好ましく、０．２〜０．５ｍｍであることがより好ましい。
距離Ｌ２３が大きすぎると、溝部２を挟んだ両側の支持部３を、溝部２の底部２ｃの最下端２ｃ１を境に切離することが困難となり、逆に小さすぎると、側片３１と３２が搬送時や作業時に切離してしまい、作業性が低下するおそれがある。
【００３８】
本発明の底目地形成部材１が溝部２の位置で側片３１と３２に切り離し可能であると、本発明の底目地形成部材１上に厚い壁紙を施工することが容易となる。以下、図を用いて説明する。
【００３９】
図７（ａ）は、下地面５上に本発明の底目地形成部材１を施工し、その上に、厚さが厚い壁紙４を施工しようとする状態を表す図である。
壁紙４の片方の端部４１は、壁紙４の継目を隠蔽すべく、底目地形成部材１の溝部２の底部２ｃまで挿入されて施工されている。図示するように、壁紙４の厚さが所定以上厚い場合、片方の端部４１が挿入された状態では、他方の端部４２は挿入できず、施工できなくなってしまう。
【００４０】
これに対し、図７（ｂ）及び（ｃ）は、いずれも本発明の底目地形成部材１の支持部３を切離した状態で下地材５上に施工し、その上に厚さが厚い壁紙４を施工した状態を表す図である。このように、支持部３を溝２の位置で切離された状態で施工することにより、溝部２の幅を広くして、厚さが厚い壁紙４の片方の端部４１のみならず、他方の端部４２もまた溝部２に挿入することができ、厚さが厚い壁紙４の施工を可能とすることができる。
図７（ｂ）は、側片３１と３２の距離を２枚の壁紙４の厚さを僅かに上回る程度に離して施工した場合を示している。この場合は、壁紙４の表面が溝部２内部で僅かに離間して施工されるので、溝２の内部に幅の狭い空間が形成されることとなる。幅の狭い空間は、外光を遮蔽する作用があるので、陰影Ｓが顕著に形成されることとなる。この結果、本発明の底目地形成部材１は、壁面に陰影Ｓをより強く創出することでき、本発明の陰影創出による意匠性向上効果をより顕著に発揮することができる。
また、図７（ｃ）は、側片３１と３２の距離を２枚の壁紙４の厚さと同等程度として、２枚の壁紙４の表面が溝部２内部で接するように施工した場合を示している。この場合は、２枚の壁紙４が共に側片３１と３２によって挟み込まれた状態で施工されるので、施工後に側片３１と３２が端部４１と４２を強固に固定することとなる。このため、壁紙間の継目から水分が浸透することを防ぐことができ、水分の浸透により生じる壁紙４の剥離などの不具合を防止する効果をより顕著に発揮することができる。また、側片３１と３２により端部４１と４２が挟み込まれている為、水分の浸透以外の原因によって発生する端部剥離も生じにくくなっている。従って、本発明の底目地形成部材１は、壁面に陰影Ｓを創出するという本発明の陰影創出による意匠性向上効果を発揮しつつ、壁紙４の剥離を防止する効果をより顕著に発揮することができる。
【００４１】
［支持部］
支持部３は、溝部２の両側に位置する２つの側片３１、３２より構成されており、溝部２の両側で対峙することにより空間を挟持し、溝部２を形成する部材である。
【００４２】
図８は支持部３の側片３２を説明するための断面図である。側片３１も溝部２の配置を除いて同様の構成なので、同一部分の説明は省略する。側片３２は、端部３２ａと、溝部２から端部３２ａに向かって厚みが薄くなる傾斜部３２ｂと、底面３２ｃを有する。
端部３２ａの高さＨ３１は、２．０ｍｍ以下であることが好ましく、１．０ｍｍ以下であることがより好ましい。
高さＨ３１が余りに高いと、壁面に施工した際に壁面と端部３２ａの段差が大きくなり、パテ剤を用いた整形が困難になるおそれがある。パテ剤を用いた整形が不十分になると、施工した壁紙に段差が生じて壁面の美観を損ねるおそれがある。
なお、端部３１ａ、３２ａは、平面に限らず、図９に示すように断面視尖状としてもよい。
端部３１ａ、３２ａを断面視尖状とすることにより、支持部３と、壁面との段差を可及的に低くすることができ、支持部３と、下地材との境界をパテ剤で整形する作業が容易となる。
【００４３】
図８において、高さＨ３２は、溝部２を形成する両側の側片３２の上端部２ａ１と、裏面３２ｃとの距離である。高さＨ３２は、１．０〜５．０ｍｍであることが好ましく、２．０〜３．０ｍｍであることがより好ましい。
高さＨ３２が余りに高いと、壁面に施工した際に壁面上で目立ち過ぎ、意匠性を損ねるおそれがある。一方、高さＨ３２が余りに低いと、溝部２の深さが不充分となり本発明の陰影創出効果及び段差形成効果が不充分となるおそれがあり、また、溝部２を形成し難くなるおそれがある。
【００４４】
図８に示される支持部３の片側の側片３２において、溝部２を形成する支持部３の上端部２ａ２と、支持部３の外端部３２ａとの距離を幅Ｌ３１とする。幅Ｌ３１は、１０〜５０ｍｍであることが好ましく、２０〜３０ｍｍであることがより好ましい。
幅Ｌ３１が余りに大きいと、壁面に施工した際に目立ち過ぎ、壁面の意匠性を損ねるおそれがある。一方、支持部３の片側の幅Ｌ３１が余りに小さいと、下地材に強固に接着できないおそれがある。
【００４５】
本実施形態において、図５に示されるように、支持部３の裏面３ｃは、平面であることが好ましい。支持部３の裏面３ｃが平面であると、下地材５の継目上に容易に底目地形成部材１を施工することができ、且つ、壁面上の、下地材５の継目が存在しない平面上であっても施工することができるので、所望の位置に底目地を形成することができる。尚、支持部３の裏面３ｃに、接着性を向上させるために、メカニカルエンボス、サンドブラストなどによる加工や不織布、織布の貼付などを施しても良い。
【００４６】
上記底目地形成部材１を形成する材料としては、特に限定されないが、塩化ビニル樹脂、ポリオレフィン樹脂、ポリエチレン、ポリプロピレン、ＡＢＳ等の合成樹脂が挙げられる。なかでも、成形が容易で耐久性に優れる点で、塩化ビニル樹脂が好ましい。
【００４７】
本発明は、また、上記底目地形成部材を壁面に施工する底目地形成部材の施工方法であって、上記底目地形成部材を下地材上に施工する工程と、上記底目地形成部材の支持部と、下地材との境界を、パテ剤で整形する工程と、上記底目地形成部材が施工された下地材上に、壁紙を施工する工程とを有する底目地形成部材の施工方法でもある。
上記底目地形成部材の施工方法によれば、壁紙間の継目を隠蔽し、壁紙が下地材から剥れ難く、壁紙の継目から汚れが浸透し難く、下地材の施工の際に割り付けが不要であり、目地の追加や位置変更が容易である底目地形成部材を壁面上に容易に施工することができる。
また、底目地形成部材の支持部と、下地材との境界を、パテ剤で整形することにより、支持部と下地材とにより形成される段差を隠蔽することができる。これにより、壁面上で底目地形成部材を目立たなくすることが可能となる。
【００４８】
下地材５上に上記底目地形成部材１を施工する方法としては、特に限定されず、例えば、接着剤、両面テープ、粘着剤による方法が挙げられる。
なかでも、底目地形成部材１の裏面全面に容易に塗布可能であり、強固に接着できる点で接着剤による方法が好ましい。接着剤としては、変成シリコーン樹脂系、エチレン−酢酸ビニル系、アクリル樹脂系等の接着剤を用いることができる。
【００４９】
上記底目地形成部材１の支持部と、下地材５との境界をパテ剤８で整形する方法としては、例えば、図１０（ａ）に示すように、支持部３の外端部３２ａと、下地材５とにより形成される段差部分にパテ剤８を充填し、図１０（ｂ）に示されるように、支持部３の表面３２ｂと下地材５の表面５ａとが連続するように、コテやへら等の施工用治具によってパテ剤８の表面を平滑にならして養生硬化させる方法が挙げられる。
【００５０】
上記パテ剤８を充填する方法としては、特に限定されず、例えば、へらによる塗布などの従来公知の方法を用いることができる。
上記パテ剤８の表面を平滑にならして養生硬化させる方法としては、特に限定されず、従来公知の方法を用いることができる。例えば、コテやへら、サンダー等を用いて周囲の高さと合うように調整しながらパテ剤８の表面を平滑にならし、自然乾燥させて養生硬化する方法が挙げられる。
【００５１】
上記パテ剤８は、支持部３の外端部３ａと、下地材５の表面５ａとにより形成される段差部分を充填できれば特に限定されないが、例えば、石膏系パテ剤、炭酸カルシウム系パテ剤、エポキシ系パテ剤、ポリエステル系パテ剤、アクリル系パテ剤等が挙げられる。
【００５２】
上記パテ剤８は、充填される箇所の幅や深さ等に応じて適宜選択して使用すればよく、いずれか一種のみを使用してもよいし、複数種を組み合わせて使用してもよい。
また、パテ剤８の充填前には、予めバックアップ材の充填やプライマー塗付等の処理を行ってもよいし、充填後には、表面研磨、補強材積層等の処理を行ってもよい。
【００５３】
上記壁紙４を施工する方法としては、特に限定されず、従来公知の方法を用いることができる。例えば、壁紙４の裏面に接着剤を塗布し、これを上記底目地形成部材１が施工された下地材５上に貼り付ける方法が挙げられる。
上記壁紙４は特に限定されず、従来公知の壁紙を用いることができる。また、上記接着剤も特に限定されず、壁紙の施工に用いられる従来公知の接着剤を用いることができる。上記接着剤としては、例えば、でんぷん系、セルロース系、エチレン−酢酸ビニル系等の接着剤が挙げられる。
【００５４】
以上説明した底目地形成部材１によれば、図４及び図５に示すように、長手方向に形成された溝部２と、該溝部２の側面両側に長手方向に沿って設けられた支持部３とを有し、上記溝部２は、その底部２ｃが該溝部２の側面両側に設けられた支持部３のうち片側の支持部３の内部３１に向かって形成されてなるので、下地材間の隙間に底目地形成部材１の溝部２を嵌合させて施工する必要がない。このため、壁面において、下地材間の隙間が存在しない箇所にも施工可能である。
また、図２（ａ）に示すように、下地材間の隙間に底目地形成部材１の溝部２を嵌合させて施工する必要がない。このため、下地材の施工の際に割り付けが不要となり、下地材の施工位置の変更が容易となる。
また、長手方向に形成された溝部２により陰影Ｓを創出することができるので、壁面に奥行きがあるかのような風合いを表現することができ、これにより意匠性を向上させることが可能となる。
【００５５】
また、図２（ａ）に示すように、裏面３ｃを平面状に形成することで、従来の目地部材の溝部を嵌合させるために十分な幅を有しない下地材間の隙間上に、容易に底目地形成部材１を施工することができ、且つ、図１（ａ）に示すように、壁面上の、下地材間の隙間が存在しない箇所であっても施工することができる。従って、壁面の所望の位置に底目地を形成可能であり、壁面の意匠性を向上させることができる。
【００５６】
また、図５に示すように、溝部２が対向する２つの平面からなる側壁により形成された構成とすることで、射出成形や、成形後の切削等の方法による溝部２の形成が容易となる。
【００５７】
また、図７（ｂ）に示すように、溝部２を挟んだ両側の支持部３の側片３１と３２とが、溝部２を境に切離し可能な構成とすることで、底目地形成部材１上に、厚さが厚い壁紙を施工することが可能となる。
【００５８】
また、以上説明した壁面構造によれば、図１（ａ）、及び、図２（ａ）に示すように、下地材５上に施工された上記底目地形成部材１と、上記底目地形成部材１上に施工された壁紙４とを備え、上記壁紙４の継目が、底目地形成部材１の溝部内部に収容されてなるので、壁紙４が経時的に収縮することによる隙間の発生を抑制することができる。
また、以上説明した壁面構造によれば、壁紙間の継目から湿気等に起因する水分が浸透することによる壁紙４の下地材からの剥離を抑制することが可能となり、継目から浸透する拭き取り困難な汚れを抑制し、壁面の美観を保つことが可能となる。
また、以上説明した壁面構造によれば、陰影Ｓを創出することにより意匠性を向上させることが可能となる。
また、図１（ａ）のように、上記底目地形成部材１を下地材間の隙間が存在しない箇所にも施工することができるので、壁面上の所望の位置に目地が追加可能となる。
さらに、図２（ａ）のように、並設された下地材５１，５２の間に上記底目地形成部材１を施工した場合には、従来の目地部材のように下地材間の隙間に目地部材を嵌合させて施工する必要がないため、下地材５の施工の際に割り付けを不要とすることができ、また、下地材５１，５２の施工位置の変更が容易となる。
【００５９】
また、以上説明した底目地形成部材１の施工方法によれば、上記底目地形成部材１を下地材上に施工する工程と、上記底目地形成部材１の支持部３と、下地材５との境界を、パテ剤で整形する工程と、上記底目地形成部材が施工された下地材上に、壁紙４を施工する工程とを有するので、壁紙間の隙間の発生を抑制し、壁紙４が下地材５から剥れ難く、壁紙４の継目から汚れが浸透し難く、下地材５の施工の際に割り付けが不要であり、目地の追加や位置変更が容易である底目地形成部材１を壁面上に容易に施工することができる。
【００６０】
なお、本発明は上記の実施形態に限らず、種々の変更・変形が可能である。
【００６１】
例えば、上記の実施形態では、図５において、溝部２が、対向する２つの平面からなる側壁により形成されている例を示したが、これに限らず、図１１に示すように、溝部２が対向する２つの曲面からなる側壁により形成された構成とすることができる。
【００６２】
溝部２を対向する２つの曲面からなる側壁により形成された構成とすることで、底部２ｃが隠蔽され、壁面に一層濃い陰影が創出されて、より深い奥行きを有するかのような風合いを表現することが可能となる。
【実施例】
【００６３】
以下、本発明の実施例を示す。ただし、本発明は、下記実施例に限定されるものではない。
【００６４】
（実施例１）
塩化ビニル樹脂を二軸遠心押出機により溶融混練し、押出成形することにより、長手方向の長さ２７００ｍｍの底目地施工用部材１を形成した。
底目地施工用部材１の溝部２は、主に対向する２つの平面からなる側壁２ｄ１、２ｄ２と底部２ｃよりなり、支持部３の側片３１の内部に底部２ｃが位置するように形成した。
また、底目地形成部材１の裏面３ｃは、平面状に形成した。
このように形成された底目地形成部材１の支持部３の片側の幅は、２５ｍｍであり、高さは３．０ｍｍであった。また、溝部２の深さは４．０ｍｍであり、幅は２．０ｍｍであった。また、溝部２の最下端２ｃ１と、支持部３の裏面３ｃとの距離は、０．３ｍｍであり、溝部２を挟んだ両側の支持部３が、溝部２の底部２ｃの最下端２ｃ１を境に切離し可能であった。
以上によって、実施例１に係る底目地形成部材１を製造した。
【００６５】
次に、下地材５として、石膏ボード（吉野石膏株式会社製、商品名「タイガーボード」（登録商標））を１枚用意した。この上に、変成シリコーン樹脂系接着剤（東リ株式会社製、商品名「ＷＭＰＸ−１」）を用いて底目地形成部材１を施工した。下地材５と、支持部３の端部との境界の段差を、パテ剤（ヤヨイ化学工業株式会社製、商品名「ワイド」）で充填して、樹脂製のへらにより整形した。
【００６６】
次に、壁紙４（東リ株式会社製、商品名「リアルデコ」（登録商標））を２枚用意し、でんぷん系接着剤（東リ株式会社製、商品名「ピュアボンド」）を用いて、下地材５と底目地形成部材１の上に施工した。２枚の壁紙４の端部は、底目地形成部材１の溝部２に収容された。
以上によって、実施例１に係る壁面構造を形成した。
【００６７】
上記のようにして底目地形成部材１を製造し、下地面上に施工した底目地形成部材１上に壁紙４を施工した壁面構造としたところ、溝部２の底部２ｃが該溝部の側面両側に設けられた支持部のうち片側の側片３１の内部に向かって形成されてなるので、壁紙間の隙間の発生、及び、壁紙４の下地材５からの剥離の発生を抑制することができた。また、壁紙４の継目から拭き取り困難な汚れが浸透するのを抑制し、壁面の美観を保つことができた。さらに、溝部２により壁面に陰影が創出され、深い奥行きを有するかのような風合いを表現することができた。
【００６８】
（実施例２）
２枚の下地材５１，５２を用意し、これらを突き付けて施工した。下地材５１，５２間には、継目Ｕが形成された。このようにして形成された継目Ｕの上に、実施例１と同様の底目地形成部材１を施工した。この上に、実施例１と同様の接着剤を用いて壁紙４を施工した。
上述のように施工した以外は、実施例１と同様にして壁面構造を形成した。
【００６９】
前述のようにして製造した底目地形成部材１を下地材間の継目の上に施工したところ、下地材間の継目を隠蔽することができた。また、下地材間の隙間に底目地形成部材１の目地部材の溝部２を嵌合させて施工しないため、下地材５１，５２の施工の際に割り付けが不要であり、また、下地材の施工位置の変更が容易であった。
【産業上の利用可能性】
【００７０】
本発明の底目地形成部材は、一般住宅、マンション、オフィスビルなどの室内の壁面に施工される。
【符号の説明】
【００７１】
１…底目地形成部材
２…溝部
２ａ…溝部開口部
２ａ１，２ａ２…上端部
２ｂ…上端部の中間点
２ｃ…溝部の底部
２ｃ１，２ｃ２…溝部の底部端部
２ｄ１，２ｄ２…側壁
２ｅ…溝部の底部の中間点
Ｌ２１…溝部の深さ
Ｌ２２…溝部の幅
Ｌ２３…溝部の底部の最下端と裏面との距離
３…支持部
３１，３２…支持部３の側片部
３１ａ、３２ａ…支持部の外端部
３１ｂ、３２ｂ…支持部の傾斜部
３ｃ，３１ｃ，３２ｃ…支持部の裏面
４…厚い壁紙
４１…壁紙の片方の端部
４２…壁紙の他方の端部
５，５１，５２…下地材
５ａ…下地材表面
６…床面
７…従来の目地部材
７２…従来の目地部材の凹部
７1、７３…従来の目地部材の支持部
８…パテ剤
９…壁材
Ｓ…陰影
Ｔ…壁紙の継目
Ｕ…下地材の継目
Ｖ…下地材の隙間
【図１】
2012177283.tif 000003
【図２】
2012177283.tif 000004
【図３】
2012177283.tif 000005
【図４】
2012177283.tif 000006
【図５】
2012177283.tif 000007
【図６】
2012177283.tif 000008
【図７】
2012177283.tif 000009
【図８】
2012177283.tif 000010
【図９】
2012177283.tif 000011
【図１０】
2012177283.tif 000012
【図１１】
2012177283.tif 000013